(57)【要約】【課題】事前の皮膚処理を不要にして、医療従事者が極めて多忙な実際の医療現場で心電図や筋電データ等を常に安定して計測できるようにすることにある。【解決手段】生体電気信号を検出する電極１と、電極１を覆う粘着性導電ゲル３と、電極１の不使用時に粘着性導電ゲル３を覆う剥離シート４と、を具え、電極１の使用時に剥離シート４を剥がされて生体の皮膚に装着される生体用電極パッドにおいて、粘着性導電ゲル３と剥離シート４との間に、粘着性導電ゲル３の、電極１に対向する側と反対の側の面の少なくとも一部と対向させて、皮膚処理シート８を引き抜き可能に介挿し、皮膚処理シート８の、剥離シート４と対向する面に脱脂剤９と研磨剤１０との少なくとも一方を固着させたことを特徴とする生体用電極パッドである。【選択図】図１
2011062375.tif 000002
【特許請求の範囲】
【請求項１】
生体電気信号を検出する電極と、
前記電極を覆う粘着性導電ゲルと、
前記電極の不使用時に前記粘着性導電ゲルを覆う剥離シートと、
を具え、
前記電極の使用時に前記剥離シートを剥がされて生体の皮膚に装着される生体用電極パッドにおいて、
前記粘着性導電ゲルと前記剥離シートとの間に、前記粘着性導電ゲルの、前記電極に対向する側と反対の側の面の少なくとも一部と対向させて、皮膚処理シートを引き抜き可能に介挿し、
前記皮膚処理シートの、前記剥離シートと対向する面に脱脂剤と研磨剤との少なくとも一方を固着させたことを特徴とする生体用電極パッド。
【発明の詳細な説明】
【技術分野】
【０００１】
この発明は、生体の皮膚に装着されて、心電計等により生体電気信号を計測するために用いられる生体用電極パッドに関し、特には、生体電気信号を容易に安定して計測し得る生体用電極パッドに関するものである。
【背景技術】
【０００２】
従来の生体用電極パッドとしては、例えば特許文献１に記載された如きものが知られており、この生体用電極パッドは、図５（ａ），（ｂ）の斜視図および断面図に示すように、平板状の鍔部１ａおよびその中央部から突出する接続端子１ｂを有する電極１を具え、それら鍔部１ａおよび接続端子１ｂの表面が良導電性金属である銀メッキまたは塩化銀コーティングにより被覆されており、その電極１の接続端子１ｂが、保護シート２の中央部の孔２ａに裏側から挿通されて保護シート２の表側に突出し、その保護シート２の裏面に、鍔部１ａを覆うようにシート状の粘着性導電ゲル３が貼り付けられ、さらにその粘着性導電ゲル３の全体を覆うように、当該電極の不使用時に粘着性導電ゲル３を保護する剥離シート４が設けられたものである。
【０００３】
かかる生体用電極パッドはその使用の際に、接続端子１ｂに電気ケーブルを介して心電計等を接続するとともに、剥離シート４を剥がして露出させた粘着性導電ゲル３を生体の所定部位の皮膚表面に貼り付けて装着することで、粘着性導電ゲル３を介して皮膚表面の生体電気信号を鍔部１ａで検出し、接続端子１ｂから電気ケーブルを介して心電計等に送ることができる。
【０００４】
従来の生体用電極パッドとしてはまた、図６（ａ），（ｂ）の表側斜視図および裏側斜視図に示す如きフィルム型のものも知られており、このフィルム型電極パッドは、矩形の基部５ａとそこから延在する延長部５ｂとを有するフレキシブル基板５に設けられた電極１を具え、ここではフレキシブル基板５の基部５ａの裏面に銅製のプリントパターンにより電極１の平板状の鍔部１ａが形成され、また基部５ａから延長部５ｂにかけてフレキシブル基板５の表面に銅製のプリントパターンにより接続回路１ｃが形成されてその接続回路１ｃの拡幅された先端部が接続端子１ｂとされ、基部５ａの中央部のスルーホールを介してフレキシブル基板５の裏面の鍔部１ａと表面の接続回路１ｃとが電気的に接続され、フレキシブル基板５の表面の接続回路１ｃが絶縁膜６で被覆されるとともに、鍔部１ａの表面が良導電性金属である銀メッキまたは塩化銀コーティングにより被覆されている。
【０００５】
そしてこのフィルム型電極パッドでは、フレキシブル基板５の表面が保護シート２で覆われるとともに、フレキシブル基板５の裏面に鍔部１ａを覆うようにシート状の粘着性導電ゲル３が貼り付けられ、上記保護シート２が、粘着シート７の表側の非粘着面にフレキシブル基板５を間に挟んで貼り付けられて、粘着シート７の中央部の開口部７ａを粘着性導電ゲル３が貫通し、これによりその粘着シート７の裏側の粘着面が粘着性導電ゲル３の周囲を囲繞し、さらにその粘着シート７の粘着面および粘着性導電ゲル３を全体的に覆うように、当該電極の不使用時に粘着性導電ゲル３を保護する剥離シート４が設けられている。
【０００６】
かかる生体用電極パッドもその使用の際に、接続端子１ｂに電気ケーブルを介して心電計等を接続するとともに、剥離シート４を剥がして露出させた粘着シート７の粘着面および粘着性導電ゲル３を生体の所定部位の皮膚表面に貼り付けて装着することで、粘着性導電ゲル３を介して皮膚表面の生体電気信号を鍔部１ａで検出し、接続端子１ｂから電気ケーブルを介して心電計等に送ることができる。
【先行技術文献】
【特許文献】
【０００７】
【特許文献１】特開２００５−２１３４５５号公報
【発明の概要】
【発明が解決しようとする課題】
【０００８】
ところで、上述の如き従来の生体用電極パッドでは何れも、皮膚の表面に貼り付ける際に、粘着性導電ゲル３と皮膚表面との電気的接触を良好にするために事前に、皮膚表面の電極装着部位を先ず脱脂剤としてのアルコール綿で拭き、次いで研磨剤としての紙やすりで軽く撫でる、といった皮膚処理が必要となる。しかしながら実際の医療現場では、医療従事者が極めて多忙なため、かかる皮膚処理がなかなか徹底されず、心電図あるいは筋電データ等が安定して計測されていない場合が多々見られた。
【課題を解決するための手段】
【０００９】
この発明は、上記従来の生体用電極パッドの課題を有利に解決するものであり、この発明の生体用電極パッドは、生体電気信号を検出する電極と、前記電極を覆う粘着性導電ゲルと、前記電極の不使用時に前記粘着性導電ゲルを覆う剥離シートと、を具え、前記電極の使用時に前記剥離シートを剥がされて生体の皮膚に装着される生体用電極パッドにおいて、前記粘着性導電ゲルと前記剥離シートとの間に、前記粘着性導電ゲルの、前記電極に対向する側と反対の側の面の少なくとも一部と対向させて、皮膚処理シートを引き抜き可能に介挿し、前記皮膚処理シートの、前記剥離シートと対向する面に脱脂剤と研磨剤との少なくとも一方を固着させたことを特徴とするものである。
【発明の効果】
【００１０】
かかる生体用電極パッドにあっては、皮膚の表面に貼り付ける際に、先ず、接続端子に電気ケーブルを介して心電計等を接続するとともに、剥離シートを剥がして粘着性導電ゲルと皮膚処理シートとを露出させ、次いで粘着性導電ゲルの、皮膚処理シートと対向していない部分、あるいはその粘着性導電ゲルの周囲を囲繞する粘着シートを生体の所定部位の皮膚表面に押し付けて貼り付け、皮膚処理シートを粘着性導電ゲルと皮膚表面との間に挟み込む。そしてその状態で皮膚処理シートを粘着性導電ゲルと皮膚表面との間から引き抜くと、当初は剥離シートと対向し、その後は皮膚表面と対抗する皮膚処理シートの面に固着された脱脂剤と研磨剤との少なくとも一方が、皮膚処理シートと一緒に粘着性導電ゲルで皮膚表面に押さえ付けられた状態で皮膚表面上を移動して、皮膚表面の電気的接触を良好にする皮膚処理を行う。しかる後、粘着性導電ゲルの、皮膚処理シートが抜き取られて露出した部分を皮膚表面に押し付けて貼り付ける。
【００１１】
従って、この発明の生体用電極パッドによれば、事前に皮膚表面の電極装着部位をアルコール綿で拭いたりさらに紙やすりで軽く撫でたりする等の皮膚処理を行わなくても、生体用電極パッドの装着の際にその生体用電極パッドが具える脱脂剤と研磨剤との少なくとも一方で皮膚処理を行うことができるので、医療従事者が極めて多忙な実施の医療現場で、心電図あるいは筋電データ等を常に安定して計測することができる。
【００１２】
なお、この発明の生体用電極パッドにおいては、前記皮膚処理シートには、前記脱脂剤と前記研磨剤とを前記引き抜き方向へ並べて固着させても良い。このようにすれば、生体用電極パッドの装着の際にその生体用電極が具える脱脂剤および研磨剤で順次に皮膚処理を行うことができるので、皮膚処理をより有効ならしめることができる。ここで、脱脂剤および研磨剤は、皮膚処理シートの引き抜き方向に対し何れが先行しても良いが、先ず脱脂剤で皮膚表面を脱脂し、次いで研磨剤で皮膚表面を荒らすのが、より好ましい。
【００１３】
また、この発明の生体用電極パッドにおいては、前記皮膚処理シートは中間で折り返して、その折り返し部に対し一端部側を前記粘着性導電ゲルに対向させるとともに、その折り返し部に対し他端部側を前記剥離シートに対向させて、前記他端部側に前記脱脂剤と前記研磨剤との少なくとも一方を固着させても良い。このようにすれば、皮膚処理シートを粘着性導電ゲルに摺接させずに引き抜くことができるので、皮膚処理シートの引き抜きを容易にするとともに粘着性導電ゲルの表面の荒れを防止することができる。
【００１４】
さらに、この発明の生体用電極パッドにおいては、前記皮膚処理シートは前記粘着性導電ゲルの中央部を横切って延在しても良い。このようにすれば、粘着性導電ゲルの両側部を皮膚表面に貼り付けて生体用電極を位置決めした状態で粘着性導電ゲルの中央部から皮膚処理シートを引き抜けるので、皮膚処理シートの引き抜きを容易にすることができる。
【００１５】
そして、この発明の生体用電極パッドにおいては、前記粘着性導電ゲルは粘着シートで周囲を囲繞されていても良い。このようにすれば、粘着性導電ゲルの粘着力に加えて粘着シートの粘着力で皮膚表面にしっかり貼り付き得るとともに、粘着性導電ゲルを粘着シートで囲繞して皮膚表面上に確実に維持することができる。
【図面の簡単な説明】
【００１６】
【図１】（ａ）および（ｂ）は、この発明の生体用電極パッドの一実施例を示す斜視図および断面図である。
【図２】（ａ），（ｂ），（ｃ）および（ｄ）は、上記実施例の生体用電極パッドの使用方法を経時的に示す説明図である。
【図３】（ａ）および（ｂ）は、この発明の生体用電極パッドの他の一実施例を表側および裏側からそれぞれ示す斜視図である。
【図４】（ａ）および（ｂ）は、上記実施例の生体用電極パッドの構成を示す分解斜視図およびそのフレキシブル基板周りを示す半部断面図である。
【図５】（ａ）および（ｂ）は、従来の生体用電極パッドの一例を示す斜視図および断面図である。
【図６】（ａ）および（ｂ）は、従来の生体用電極パッドの他の一例を表側および裏側からそれぞれ示す斜視図である。
【発明を実施するための形態】
【００１７】
以下、本発明の実施の形態を実施例によって、図面に基づき詳細に説明する。ここに、図１（ａ）および（ｂ）は、この発明の生体用電極パッドの一実施例を示す斜視図および断面図であり、図中、図５に示す従来例と同様の部分はそれと同一の符号にて示す。
【００１８】
この実施例の生体用電極パッドは、図１に示すように、図５に示す従来例と同様、平板状の鍔部１ａおよびその中央部から突出する接続端子１ｂを有する電極１を具え、それら鍔部１ａおよび接続端子１ｂを形成する例えばプラスチック製の基材の表面が、良導電性金属である銀メッキまたは塩化銀コーティングにより被覆されており、その電極１の接続端子１ｂは、通常の非導電性材料からなる保護シート２の中央部の孔２ａに裏側から挿通されて保護シート２の表側に突出し、その保護シート２の裏面には、例えば図示しない両面粘着テープ等を介して、あるいは直接、鍔部１ａを覆うようにシート状の粘着性導電ゲル３が貼り付けられている。
【００１９】
しかしてこの実施例では、その粘着性導電ゲル３の中央部を横切って延在して粘着性導電ゲル３と対向するように、例えば剥離シート４と同様の材料からなる皮膚処理シート８が重ねられ、そして粘着性導電ゲル３の、皮膚処理シート８で覆われていない両側部に貼り付けるようにして、当該電極パッドの不使用時に粘着性導電ゲル３の全体を覆って保護する、粘着性導電ゲル３から剥がしやすい表面処理がされた通常のフィルムからなる剥離シート４が設けられている。
【００２０】
このようにして粘着性導電ゲル３と剥離シート４との間に介挿された皮膚処理シート８は、その中間部で折り返されて、一端部８ａが粘着性導電ゲル３の一端部３ａと重なり、折り返し部分８ｂが粘着性導電ゲル３の他端部３ａからはみ出し、他端部８ｃが粘着性導電ゲル３の一端部３ａから引き手として突出するように配置されている。
【００２１】
そして、この皮膚処理シート８の折り返し部分８ｂと他端部８ｃとの間の部分の、剥離シート４に対向する面には、アルコール等を含浸させた不織布等からなる脱脂剤９と、微細な固体粒子等からなる研磨剤１０とが、皮膚処理シート８の長手方向に並ぶとともにそれぞれ皮膚処理シート８の全幅に亘って帯状に延在するように接着固定されている。
【００２２】
図２（ａ）〜（ｄ）は、この実施例の生体用電極パッドの使用方法を経時的に示しており、この実施例の生体用電極パッドにあっては、皮膚の表面に貼り付ける際に、先ず、接続端子１ｂに電気ケーブルを介して心電計等を接続するとともに、図２（ａ）に示すように、剥離シート４を剥がして粘着性導電ゲル３と皮膚処理シート８とを露出させ、次いで図２（ｂ）に示すように、粘着性導電ゲル３の、皮膚処理シート８と対向していない（皮膚処理シート８で覆われていない）両側部分を生体の所定部位の皮膚表面Ｓに押し付けて貼り付け、皮膚処理シート８を粘着性導電ゲル３と皮膚表面Ｓとの間に挟み込む。
【００２３】
そしてその状態で、図２（ｃ）に示すように、皮膚処理シート８の上記他端部８ｃを引いて皮膚処理シート８を粘着性導電ゲル３と皮膚表面Ｓとの間から引き抜いてゆくと、当初は剥離シート４と対向し、その後は皮膚表面Ｓと対抗する皮膚処理シート８の面に固着された脱脂剤９と研磨剤１０とが、皮膚処理シート８と一緒に粘着性導電ゲル３で皮膚表面Ｓに押さえ付けられた状態で皮膚表面Ｓ上を移動して、先ず脱脂剤９で皮膚表面Ｓを脱脂し、次いで研磨剤１０で皮膚表面Ｓを荒らす皮膚処理を行うことで皮膚表面Ｓの電気的接触を良好にする。そしてこの時、折り返し部分８ｂは、次第に一端部８ａに近づくように皮膚処理シート８上で遷移しながら粘着性導電ゲル３と皮膚表面Ｓとの間を引き抜き方向へ移動してゆき、粘着性導電ゲル３と皮膚表面Ｓとの間から出る際に消滅する。しかる後、図２（ｄ）に示すように、粘着性導電ゲル３の、皮膚処理シート８が抜き取られて露出した残りの部分を皮膚表面Ｓに押し付けて貼り付ける。
【００２４】
従ってこの実施例の生体用電極パッドによれば、事前に皮膚表面Ｓの電極装着部位をアルコール綿で拭いたりさらに紙やすりで軽く撫でたりする等の皮膚処理を行わなくても、生体用電極パッドの装着の際にその生体用電極パッドが具える脱脂剤９と研磨剤１０とで皮膚処理を行うことができるので、医療従事者が極めて多忙な実施の医療現場で、心電図あるいは筋電データ等を常に安定して計測することができる。
【００２５】
しかもこの実施例の生体用電極パッドによれば、皮膚処理シート８には、脱脂剤９と研磨剤１０とを引き抜き方向へ並べて固着させているため、生体用電極の装着の際にその生体用電極パッドが具える脱脂剤９と研磨剤１０とで、先ず脱脂し次いで研磨するという順で皮膚処理を行うことができるので、皮膚処理をより有効ならしめることができる。
【００２６】
またこの実施例の生体用電極パッドによれば、皮膚処理シート８は中間で折り返して、その折り返し部８ｂに対し一端部８ａ側を粘着性導電ゲル３に対向させるとともに、その折り返し部８ｂに対し他端部８ｂ側を剥離シート４に対向させて、その他端部８ｂ側に脱脂剤９と研磨剤１０とを固着させているため、皮膚処理シート８の引き抜きの際に、折り返し部分８ｂに対し一端部８ａ側の部分が粘着性導電ゲル３に粘着したまま、折り返し部分８ｂに対し他端部８ｂ側の部分がその一端部８ａ側の部分と皮膚表面Ｓとに摺接し、折り返し部分８ｂは次第に一端部８ａに近づくように皮膚処理シート８上で遷移しながら粘着性導電ゲル３と皮膚表面Ｓとの間を引き抜き方向へ移動するので、皮膚処理シート８を粘着性導電ゲル３に摺接させずに引き抜くことができ、これにより皮膚処理シート８の引き抜きを容易にするとともに粘着性導電ゲル３の表面の荒れを防止することができる。
【００２７】
さらにこの実施例の生体用電極パッドによれば、皮膚処理シート８は粘着性導電ゲル３の中央部を横切って延在しているため、粘着性導電ゲル３の両側部を皮膚表面Ｓに貼り付けて生体用電極パッドを位置決めした状態で粘着性導電ゲル３の中央部から皮膚処理シート８を引き抜けるので、皮膚処理シート８の引き抜きを容易にすることができる。
【００２８】
図３（ａ）および（ｂ）は、この発明の生体用電極パッドの他の一実施例を表側および裏側からそれぞれ示す斜視図、そして図４（ａ）および（ｂ）は、上記実施例の生体用電極パッドの構成を示す分解斜視図およびそのフレキシブル基板周りを示す半部断面図であり、図中、図６に示す従来例と同様に部分はそれと同一の符号にて示す。
【００２９】
この実施例の生体用電極パッドは、図３，４に示すように、図６に示す従来例と同様、矩形の基部５ａとそこから延在する延長部５ｂとを有するフレキシブル基板５に設けられた電極１を具え、ここではフレキシブル基板５の基部５ａの裏面に銅製のプリントパターンにより電極１の平板状の鍔部１ａが形成され、また基部５ａから延長部５ｂにかけてフレキシブル基板５の表面に銅製のプリントパターンにより接続回路１ｃが形成されてその接続回路１ｃの拡幅された先端部が接続端子１ｂとされ、基部５ａの中央部のスルーホール５ｄを介してフレキシブル基板５の裏面の鍔部１ａと表面の接続回路１ｃとが電気的に接続され、フレキシブル基板５の表面の接続回路１ｃが絶縁膜６で被覆されるとともに、鍔部１ａの表面が良導電性金属である銀メッキまたは塩化銀コーティングにより被覆されている。
【００３０】
そしてこの実施例のフィルム型電極パッドでは、フレキシブル基板５の表面が保護シート２で覆われるとともに、フレキシブル基板５の裏面に鍔部１ａを覆うようにシート状の粘着性導電ゲル３が貼り付けられ、上記保護シート２が、粘着シート７の表側の非粘着面にフレキシブル基板５を間に挟んで貼り付けられて、粘着シート７の中央部の開口部７ａを粘着性導電ゲル３が貫通し、これによりその粘着シート７の裏側の粘着面が粘着性導電ゲル３の周囲を囲繞している。
【００３１】
しかしてこの実施例では、その粘着性導電ゲル３を横切って延在して粘着性導電ゲル３と対向するように、例えば剥離シート４と同様の材料からなる皮膚処理シート８が重ねられ、さらに粘着性導電ゲル３の両側方に位置する粘着シート７の裏側の粘着面に貼り付けるようにして、当該電極パッドの不使用時に粘着性導電ゲル３の全体を覆って保護する、粘着性導電ゲル３から剥がしやすい表面処理がされた通常のフィルムからなる剥離シート４が設けられている。
【００３２】
このようにして粘着性導電ゲル３と剥離シート４との間に介挿された皮膚処理シート８は、先の実施例におけると同様、その中間部で折り返されて、一端部８ａが粘着性導電ゲル３の一端部３ａと重なり、折り返し部分８ｂが粘着性導電ゲル３の他端部３ａからはみ出し、他端部８ｃが粘着性導電ゲル３の一端部３ａから引き手として突出するように配置されている。
【００３３】
そして、この皮膚処理シート８の折り返し部分８ｂと他端部８ｃとの間の部分の、剥離シート４に対向する面には、アルコール等を含浸させた不織布等からなる脱脂剤９と、微細な固体粒子等からなる研磨剤１０とが、皮膚処理シート８の長手方向に並ぶとともにそれぞれ皮膚処理シート８の全幅に亘って帯状に延在するように接着固定されている。
【００３４】
かかる実施例の生体用電極パッドもその使用の際に、先ず、接続端子１ｂに電気ケーブルを介して心電計等を接続するとともに、剥離シート４を剥がして粘着性導電ゲル３と皮膚処理シート８と粘着シート７の粘着面とを露出させ、次いで粘着性導電ゲル３の両側方に位置する粘着シート７の、皮膚処理シート８と対向していない（皮膚処理シート８で覆われていない）両側部分を生体の所定部位の皮膚表面Ｓに押し付けて貼り付け、皮膚処理シート８を粘着性導電ゲル３と皮膚表面Ｓとの間に挟み込む。
【００３５】
そしてその状態で、皮膚処理シート８を粘着性導電ゲル３と皮膚表面Ｓとの間から引き抜いてゆくと、先に実施例におけると同様、当初は剥離シート４と対向し、その後は皮膚表面Ｓと対抗する皮膚処理シート８の面に固着された脱脂剤９と研磨剤１０とが、皮膚処理シート８と一緒に粘着性導電ゲル３で皮膚表面Ｓに押さえ付けられた状態で皮膚表面Ｓ上を移動して、先ず脱脂剤９で皮膚表面Ｓを脱脂し、次いで研磨剤１０で皮膚表面Ｓを荒らす皮膚処理を行うことで皮膚表面Ｓの電気的接触を良好にする。しかる後、粘着性導電ゲル３および粘着シート７の、皮膚処理シート８が抜き取られて露出した残りの部分を皮膚表面Ｓに押し付けて貼り付ける。
【００３６】
従ってこの実施例の生体用電極パッドによれば、先の実施例と同様、事前に皮膚表面Ｓの電極装着部位をアルコール綿で拭いたりさらに紙やすりで軽く撫でたりする等の皮膚処理を行わなくても、生体用電極パッドの装着の際にその生体用電極パッドが具える脱脂剤９と研磨剤１０とで皮膚処理を行うことができるので、医療従事者が極めて多忙な実施の医療現場で、心電図あるいは筋電データ等を常に安定して計測することができる。
【００３７】
しかもこの実施例の生体用電極パッドによれば、先の実施例と同様、皮膚処理シート８には、脱脂剤９と研磨剤１０とを引き抜き方向へ並べて固着させているため、生体用電極の装着の際にその生体用電極パッドが具える脱脂剤９と研磨剤１０とで、先ず脱脂し次いで研磨するという順で皮膚処理を行うことができるので、皮膚処理をより有効ならしめることができる。
【００３８】
またこの実施例の生体用電極パッドによれば、先の実施例と同様、皮膚処理シート８は中間で折り返して、その折り返し部８ｂに対し一端部８ａ側を粘着性導電ゲル３に対向させるとともに、その折り返し部８ｂに対し他端部８ｂ側を剥離シート４に対向させて、その他端部８ｂ側に脱脂剤９と研磨剤１０とを固着させているため、皮膚処理シート８の引き抜きの際に、折り返し部分８ｂに対し一端部８ａ側の部分が粘着性導電ゲル３に粘着したまま、折り返し部分８ｂに対し他端部８ｂ側の部分がその一端部８ａ側の部分と皮膚表面Ｓとに摺接し、折り返し部分８ｂは次第に一端部８ａに近づくように皮膚処理シート８上で遷移しながら粘着性導電ゲル３と皮膚表面Ｓとの間を引き抜き方向へ移動するので、皮膚処理シート８を粘着性導電ゲル３に摺接させずに引き抜くことができ、これにより皮膚処理シート８の引き抜きを容易にするとともに粘着性導電ゲル３の表面の荒れを防止することができる。
【００３９】
そしてこの実施例の生体用電極パッドによれば、粘着性導電ゲル３は粘着シート７で周囲を囲繞されているので、粘着性導電ゲル３の粘着力に加えて粘着シート７の粘着力で皮膚表面Ｓにしっかり貼り付き得るとともに、粘着性導電ゲル３を粘着シート７で囲繞して皮膚表面Ｓ上に確実に維持することができる。
【００４０】
以上、図示例に基づき説明したが、この発明は上述の例に限定されるものでなく、特許請求の範囲の記載範囲内で適宜変更し得るものであり、例えば、皮膚処理シート８は粘着性導電ゲル３の中央部から一側部を経て外部まで延在しても良く、この場合にも、粘着性導電ゲル３の他方の一側部を皮膚表面Ｓに貼り付けて生体用電極を位置決めした状態で粘着性導電ゲル３の上記一側部から皮膚処理シート８を引き抜けるので、皮膚処理シート８の引き抜きをある程度容易にすることができる。
【００４１】
またこの発明の生体用電極パッドでは、皮膚処理シート８に折り返し部８ｂを設けず、粘着性導電ゲル３に対向する皮膚処理シート８の面に粘着性導電ゲル３の表面上を滑りやすいように例えばテフロン等の表面処理を施して、粘着性導電ゲル３と皮膚表面Ｓとに摺接させながら皮膚処理シート８を引き抜くようにしても良い。そしてこの発明の生体用電極パッドでは、皮膚処理シート８に脱脂剤９と研磨剤１０との何れか一方のみを固着させても良く、あるいは脱脂剤９と研磨剤１０との配置を逆にして設けても良い。
【産業上の利用可能性】
【００４２】
かくしてこの発明の生体用電極パッドによれば、事前に皮膚表面の電極装着部位をアルコール綿で拭いたりさらに紙やすりで軽く撫でたりする等の皮膚処理を行わなくても、生体用電極パッドの装着の際にその生体用電極パッドが具える脱脂剤と研磨剤との少なくとも一方で皮膚処理を行うことができるので、医療従事者が極めて多忙な実施の医療現場で、心電図あるいは筋電データ等を常に安定して計測することができる。
【符号の説明】
【００４３】
１  電極
１ａ  鍔部
１ｂ  接続端子
１ｃ  接続回路
１ｄ  スルーホール
２  保護シート
２ａ  孔
３  粘着性導電ゲル
４  剥離シート
５  フレキシブル基板
５ａ  基部
５ｂ  延長部
６  絶縁膜
７  粘着シート
７ａ  開口部
８  皮膚処理シート
８ａ  一端部
８ｂ  折り返し部分
８ｃ  他端部
９  脱脂剤
１０  研磨剤
Ｓ  皮膚表面
【図１】
2011062375.tif 000003
【図２】
2011062375.tif 000004
【図３】
2011062375.tif 000005
【図４】
2011062375.tif 000006
【図５】
2011062375.tif 000007
【図６】
2011062375.tif 000008